(57)【要約】【課題】ＭＩＭＯ伝送路の伝送路特性が同じ場合であっても、元のデータを正しく復元する。【解決手段】送信装置２−１の位相器１７は、第２の送信系統の全てのデータ信号に対し、その位相を予め設定された位相分回転させる。これにより、送信アンテナＴｘ１から、位相回転処理が施されていないデータ信号を含む送信信号ｘ１が送信され、送信アンテナＴｘ２から、位相回転処理が施されたデータ信号を含む送信信号ｘ２が送信される。受信装置のＭＬＤ部２６は、送信信号ｘ１，ｘ２と伝送路特性とを用いて受信パターンの参照点を設定し、この受信パターンの参照点に基づいて、送信信号ｘ１，ｘ２のＬＬＲを算出する。これにより、ＭＩＭＯ伝送路の伝送路特性が同じ場合であっても、受信パターンの参照点の数は、送信信号ｘ１，ｘ２の組み合わせ数と同じになり、送信信号ｘ１，ｘ２のパターンを識別することができる。【選択図】図１
2014216745.tif 000002
【特許請求の範囲】
【請求項１】
複数の送信アンテナを備え、送信対象のデータの送信信号を前記複数の送信アンテナからそれぞれ送信するＭＩＭＯ送信装置と、複数の受信アンテナを備え、前記複数の送信アンテナと前記複数の受信アンテナとの間のＭＩＭＯ伝送路を介して、前記送信信号を受信し、前記ＭＩＭＯ伝送路の伝送路特性を推定し、前記複数の送信アンテナから送信された送信信号の尤度を算出し、前記送信信号の尤度を用いて元の送信対象のデータを復元するＭＩＭＯ受信装置とにより構成されるＭＩＭＯ通信システムにおける前記ＭＩＭＯ送信装置であって、
前記送信対象のデータを、所定の変調方式によりキャリア変調してマッピングするキャリア変調部と、
前記キャリア変調部によりキャリア変調されたデータを、前記複数の送信アンテナに対応する送信系統の信号にそれぞれ分割する分割部と、
前記分割部により分割された複数の送信系統の信号に対し、前記送信系統間で異なる位相になるように、前記送信系統の信号の位相を回転させる位相器と、
前記位相器から送信系統間で異なる位相の信号を入力し、前記複数の送信系統の信号のそれぞれに対し、ＯＦＤＭフレームを構成するＯＦＤＭフレーム化部と、
前記ＯＦＤＭフレーム化部により生成されたＯＦＤＭ信号をＩＦＦＴするＩＦＦＴ部と、を備え、
前記送信系統間で異なる位相のＯＦＤＭ信号を、前記複数の送信アンテナからそれぞれ送信する、ことを特徴とするＭＩＭＯ送信装置。
【請求項２】
請求項１に記載のＭＩＭＯ送信装置において、
前記位相器は、
前記分割部により分割された複数の送信系統の信号に対し、前記送信系統間で異なる位相になるように、少なくとも１つの送信系統の信号の位相を回転させる、ことを特徴とするＭＩＭＯ送信装置。
【請求項３】
請求項１に記載のＭＩＭＯ送信装置において、
前記位相器は、
前記分割部により分割された複数の送信系統の信号に対し、前記送信系統間で異なる位相になるように、全ての送信系統の信号の位相を回転させる、ことを特徴とするＭＩＭＯ送信装置。
【請求項４】
請求項１から３までのいずれか一項に記載のＭＩＭＯ送信装置において、
前記位相器は、
前記分割部により分割された複数の送信系統の信号に対し、前記送信系統間で異なる位相になるように、前記送信系統の信号の位相を、シンボル単位またはキャリア単位に回転させる、ことを特徴とするＭＩＭＯ送信装置。
【請求項５】
請求項１から４までのいずれか一項に記載のＭＩＭＯ送信装置と、複数の受信アンテナを備え、前記複数の送信アンテナと前記複数の受信アンテナとの間のＭＩＭＯ伝送路を介して、前記送信信号を受信し、前記ＭＩＭＯ伝送路の伝送路特性を推定し、前記複数の送信アンテナから送信された送信信号の尤度を算出し、前記送信信号の尤度を用いて元の送信対象のデータを復元するＭＩＭＯ受信装置とにより構成されるＭＩＭＯ通信システムにおける前記ＭＩＭＯ受信装置であって、
前記複数の受信アンテナに対応する受信系統毎に、受信したＯＦＤＭ信号をＦＦＴするＦＦＴ部と、
前記ＦＦＴ部によりＦＦＴされたＯＦＤＭ信号に基づいて、前記ＭＩＭＯ伝送路の伝送路特性を推定する伝送路推定部と、
予め設定された、前記ＭＩＭＯ送信装置から送信される前記送信系統間で異なる位相の送信信号と、前記伝送路推定部により推定された伝送路特性とを用いて受信パターンの参照点を設定し、前記受信パターンの参照点に基づいて、前記複数の送信系統における送信信号の尤度を算出する尤度算出部と、
前記尤度算出部により算出された尤度に基づいて、元の送信対象のデータに復号する復号部と、
を備えたことを特徴とするＭＩＭＯ受信装置。
【請求項６】
請求項１から４までのいずれか一項に記載のＭＩＭＯ送信装置と、請求項５に記載のＭＩＭＯ受信装置とにより構成されることを特徴とするＭＩＭＯ通信システム。
【発明の詳細な説明】
【技術分野】
【０００１】
本発明は、地上デジタル放送等の無線伝送技術に係り、特に、複数の送信アンテナと複数の受信アンテナを用いる多入力多出力（以下、「ＭＩＭＯ（Multiple Input Multiple Output）」という。）伝搬環境の無線デジタル信号伝送における送受信技術に関する。
【背景技術】
【０００２】
図１６は、ＭＩＭＯ通信システムの構成例を示す図である。このＭＩＭＯ通信システム１は、２本の送信アンテナ１０１（送信アンテナＴｘ１，Ｔｘ２）を備えた送信装置（ＭＩＭＯ送信装置）１００と、２本の受信アンテナ２０１（受信アンテナＲｘ１，Ｒｘ２）を備えた受信装置（ＭＩＭＯ受信装置）２００とにより構成された例である。送信アンテナ１０１と受信アンテナ２０１との間にはＭＩＭＯ伝送路が形成されている。
【０００３】
送信装置１００は、送信対象の映像音声データを２系統の異なるデータ信号に分割する。そして、送信装置１００は、分割した異なるデータ信号を２本の送信アンテナ１０１の各々に割り当て、同一の周波数上または周波数帯が重なる状態の電波により、２本の送信アンテナ１０１からＯＦＤＭ（Orthogonal Frequency Division Multiplexing：直交周波数分割多重）信号を送信する。これにより、それぞれのＯＦＤＭ信号は４つのＭＩＭＯ伝送路を経て送信される。受信装置２００は、受信した２系統の信号から４つのＭＩＭＯ伝送路の特性（伝送路特性）を推定し、送信装置１００から送信された２系統の異なるデータ信号を復調し、元の映像音声データに復元する。
【０００４】
ここで、送信装置１００に備えた送信アンテナＴｘ１，Ｔｘ２から送信される信号（送信信号）をｘ１，ｘ２（以下、数式ではｘ1，ｘ2にて表す。）とし、受信装置２００に備えた受信アンテナＲｘ１，Ｒｘ２にて受信した信号（受信信号）をｙ１，ｙ２（以下、数式ではｙ1，ｙ2にて表す。）とする。また、受信アンテナＲｘ１と送信アンテナＴｘ１との間の伝送路特性をｈ11、受信アンテナＲｘ２と送信アンテナＴｘ１との間の伝送路特性をｈ21、受信アンテナＲｘ１と送信アンテナＴｘ２との間の伝送路特性をｈ12、受信アンテナＲｘ２と送信アンテナＴｘ２との間の伝送路特性をｈ22とする。
【０００５】
〔送信装置〕
まず、図１６に示した従来の送信装置１００について説明する。図１７は、従来の送信装置１００の構成を示すブロック図である。この送信装置１００は、２本の送受信アンテナを用いた空間多重ＭＩＭＯ伝送方式に用いる送信側の装置である。送信装置１００は、キャリア変調後の信号を２分割し、２分割した信号のそれぞれに対してＯＦＤＭフレーム化、ＩＦＦＴ（Inverse Fast Fourier Transform：逆高速フーリエ変換）、ＧＩ（Guard Interval：ガードインターバル）付加の処理を施し、２本の送信アンテナ１０１から異なる信号を送信する。
【０００６】
図１７において、送信装置１００は、誤り訂正外符号符号化部１０、誤り訂正内符号符号化部１１、キャリア変調部１２、分割（ＭＵＸ）部１３、ＯＦＤＭフレーム化部１４−１，１４−２、ＩＦＦＴ部１５−１，１５−２、ＧＩ付加部１６−１，１６−２、及び２本の送信アンテナ１０１（送信アンテナＴｘ１，Ｔｘ２）を備えている。ＯＦＤＭフレーム化部１４−１，１４−２から送信アンテナ１０１までは２つの送信系統で構成される。尚、エネルギー拡散及びインタリーブ等の構成部は省略してある。
【０００７】
誤り訂正外符号符号化部１０は、例えば送信装置１００において撮影した映像音声データを入力し、リードソロモン符号等の外符号を用いて符号化を行う。誤り訂正内符号符号化部１１は、誤り訂正外符号符号化部１０により符号化されたデータを入力し、所定の符号化率（例えばｒ＝１／２）にてターボ符号、畳み込み符号等の内符号を用いて符号化を行う。
【０００８】
キャリア変調部１２は、誤り訂正内符号符号化部１１により符号化されたデータを入力し、ＱＰＳＫ、１６ＱＡＭ等の所定のキャリア変調方式によりキャリア変調を行い、入力したデータをＩＱ軸のコンスタレーション上にマッピングする。分割部１３は、キャリア変調部１２によりキャリア変調されＩＱ軸のコンスタレーション上にマッピングされたデータを２つの異なる信号に分割する。
【０００９】
ＯＦＤＭフレーム化部１４−１は、分割部１３により分割された一方の信号を入力し、この信号をデータ信号として、当該データ信号にパイロット信号等を付加すると共に、予め設定された周波数の位置に配置してＯＦＤＭフレームを構成し、ＯＦＤＭ信号をＩＦＦＴ部１５−１に出力する。ＩＦＦＴ部１５−１は、ＯＦＤＭフレーム化部１４−１からＯＦＤＭ信号を入力し、ＩＦＦＴの処理を施し、周波数軸データから時間軸データに変換する。ＧＩ付加部１６−１は、ＩＦＦＴ部１５−１により時間軸データに変換されたＯＦＤＭ信号を入力し、このＯＦＤＭ信号にＧＩ信号を付加する。
【００１０】
ＯＦＤＭフレーム化部１４−２、ＩＦＦＴ部１５−２及びＧＩ付加部１６−２は、分割部１３により分割された他方の信号に対して、ＯＦＤＭフレーム化部１４−１、ＩＦＦＴ部１５−１及びＧＩ付加部１６−１と同様の処理を行う。そして、直交変調等の処理が施された２系統のＯＦＤＭ信号は、送信信号として対応する２本の送信アンテナ１０１（送信アンテナＴｘ１，Ｔｘ２）からそれぞれ送信される。
【００１１】
〔受信装置〕
次に、図１６に示した従来の受信装置２００について説明する。図１８は、従来の受信装置２００の構成を示すブロック図である。この受信装置２００は、２本の送受信アンテナを用いた空間多重ＭＩＭＯ伝送方式に用いる受信側の装置である。受信装置２００は、受信信号に対してＧＩ除去、ＦＦＴ（Fast Fourier Transform：高速フーリエ変換）、伝送路推定を行った後、２系統にて推定された２つの伝送路推定値と受信信号を用いて対数尤度比（ＬＬＲ：Log Likelihood Ratio）算出等の信号分離処理を行い、対数尤度比を用いて誤り訂正処理を行う。
【００１２】
図１８において、受信装置２００は、２本の受信アンテナ２０１（受信アンテナＲｘ１，Ｒｘ２）、ＧＩ除去部２０−１，２０−２、ＦＦＴ部２１−１，２１−２、伝送路推定部２２−１，２２−２、ＭＬＤ（Maximum Likelihood Detection：最尤判定法）部（尤度算出部）２３、誤り訂正内符号復号部２４及び誤り訂正外符号復号部２５を備えている。受信アンテナ２０１から伝送路推定部２２−１，２２−２までは２つの受信系統で構成される。尚、エネルギー逆拡散及びデインタリーブ等の構成部は省略してある。
【００１３】
２本の受信アンテナ２０１（受信アンテナＲｘ１，Ｒｘ２）は、送信装置１００に備えた２本の送信アンテナ１０１（送信アンテナＴｘ１，Ｔｘ２）との間のＭＩＭＯ伝送路（伝送路特性ｈ11，ｈ12，ｈ21，ｈ22）を経由したＯＦＤＭ信号を受信信号として受信する。つまり、２本の送信アンテナＴｘ１，Ｔｘ２から送信されＭＩＭＯ伝送路（伝送路特性ｈ11，ｈ12）を経由して混信したＯＦＤＭ信号を受信アンテナＲｘ１にて受信する。また、２本の送信アンテナＴｘ１，Ｔｘ２から送信されＭＩＭＯ伝送路（伝送路特性ｈ21，ｈ22）を経由して混信したＯＦＤＭ信号を受信アンテナＲｘ２にて受信する。
【００１４】
ＧＩ除去部２０−１は、受信アンテナＲｘ１にて受信した受信信号が直交復調されシンボルタイミングが検出されたＯＦＤＭ信号を入力し、ＯＦＤＭ信号からＧＩ信号を除去する。ＦＦＴ部２１−１は、ＧＩ除去部２０−１からＧＩ信号が除去されたＯＦＤＭ信号を入力し、ＦＦＴの処理を施し、時間軸データから周波数軸データに変換する。伝送路推定部２２−１は、ＦＦＴ部２１−１から周波数軸データに変換されたＯＦＤＭ信号を入力し、このＯＦＤＭ信号からデータ信号、パイロット信号等を分離し（フレーム分離し）、パイロット信号を用いて送信アンテナＴｘ１，Ｔｘ２と受信アンテナＲｘ１との間の伝送路特性ｈ11，ｈ12を推定し、推定した伝送路特性ｈ11，ｈ12をＭＬＤ部２３に出力する。
【００１５】
ＧＩ除去部２０−２、ＦＦＴ部２１−２及び伝送路推定部２２−２は、受信アンテナＲｘ２にて受信した受信信号に対して、ＧＩ除去部２０−１、ＦＦＴ部２１−１及び伝送路推定部２２−１と同様の処理を行う。伝送路推定部２２−２は、推定した伝送路特性ｈ21，ｈ22をＭＬＤ部２３に出力する。
【００１６】
ＭＬＤ部２３は、伝送路推定部２２−１により推定された伝送路特性ｈ11，ｈ12、及び伝送路推定部２２−２により推定された伝送路特性ｈ21，ｈ22を入力すると共に、ＯＦＤＭ信号から分離されたデータ信号について、受信アンテナＲｘ１の受信系統における受信信号ｙ１及び受信アンテナＲｘ２の受信系統における受信信号ｙ２を入力する。
【００１７】
そして、ＭＬＤ部２３は、送信装置１００から送信される予め設定された送信信号ｘ１，ｘ２（候補点の信号）と伝送路特性ｈ11，ｈ12，ｈ21，ｈ22とを用いて、受信パターンの参照点を設定する。そして、ＭＬＤ部２３は、送信信号ｘ１，ｘ２の各々のビットに対して、各ビットを０とした場合の、上記設定した受信パターンの参照点と受信信号との間で最も近い距離を算出し、各ビットを１とした場合の、上記設定した受信パターンの参照点と受信信号との間で最も近い距離を算出し、比較することでＬＬＲを算出する。前述のとおり、送信信号ｘ１は、送信アンテナＴｘ１の送信系統における信号であり、送信信号ｘ２は、送信アンテナＴｘ２の送信系統における信号であり、受信装置２００では候補点の信号として扱われる。
【００１８】
図１９は、ＭＬＤ部２３によるＬＬＲの算出例を説明する図である。変調方式はＱＰＳＫとし、ＩＱ軸上の信号点配置は、送信信号ｘ１，ｘ２及び受信信号ｙ１の参照点におけるコンスタレーション、すなわち送信パターン及び受信パターンをそれぞれ示す。図１９に示すように、ＭＬＤ部２３は、２ビットの送信信号ｘ１（ｂ０，ｂ１）の信号点に伝送路特性ｈ11を乗算し、２ビットの送信信号ｘ２（ｂ２，ｂ３）の信号点に伝送路特性ｈ12を乗算し、乗算結果を加算することで、受信信号ｙ１における受信パターンの参照点を設定する。ここで、図１９の右側に示すように、白丸印及び黒丸印からなる１６点の信号点が受信信号ｙ１の受信パターンの参照点となる。白丸印の信号点は、送信信号ｘ１のビットデータｂ０が「０」の場合の参照点であり、黒丸印の信号点は、送信信号ｘ１のビットデータｂ０が「１」の場合の参照点である。
【００１９】
ＭＬＤ部２３は、送信信号ｘ１のビットデータｂ０を「０」とした場合の８箇所の参照点（白丸印の参照点）と受信信号点（×印の信号点）との間の距離を算出し、最も近い距離ｄ０を特定する。同様に、ＭＬＤ部２３は、送信信号ｘ１のビットデータｂ０を「１」とした場合の８箇所の参照点（黒丸印の参照点）と受信信号点（×印の信号点）との間の距離を算出し、最も近い距離ｄ１を特定する。そして、ＭＬＤ部２３は、距離ｄ０と距離ｄ１との間の差を用いて、送信信号ｘ１のビットデータｂ０のＬＬＲを算出する。ＭＬＤ部２３は、送信信号ｘ１のビットデータｂ１のＬＬＲ及び送信信号ｘ２のビットデータｂ２，ｂ３のＬＬＲについても同様に算出する。このようにして、送信信号ｘ１，ｘ２のＬＬＲが算出される。
【００２０】
図１８に戻って、誤り訂正内符号復号部２４は、ＭＬＤ部２３から送信信号ｘ１，ｘ２のＬＬＲを入力し、送信装置１００の誤り訂正内符号符号化部１１に対応した誤り訂正内符号復号を行い、復号後の信号（キャリア変調方式がＱＰＳＫの場合は合計４ビットの０または１の信号）を出力する。
【００２１】
誤り訂正外符号復号部２５は、誤り訂正内符号復号部２４により誤り訂正内符号復号された信号を入力し、送信装置１００の誤り訂正外符号符号化部１０に対応した誤り訂正外符号復号を行う。このようにして、元の映像音声データが復元される。
【００２２】
以上、図１６〜図１８を用いて従来のＭＩＭＯ通信システム１における送信装置１００及び受信装置２００について説明したが、元の映像音声データを正確に復元するための様々な手法が提案されている。
【００２３】
例えば、このようなＭＩＭＯ通信システム１を移動体通信に適用した場合の手法が知られている。移動体通信においては、受信装置２００の移動に伴って伝送路特性が変動してしまう。特に、伝送路特性を推定するためのパイロット信号の送信周期に比べて伝送路特性の変動周期が短いときには、受信装置２００の伝送路推定部２２−１，２２−２は、伝送路特性を正確に推定することができず、結果として、正確な復元処理を実現することができない。このような問題を解決するため、ＭＩＭＯ伝送路の変動を考慮して補正した伝送路行列を求めることにより、正確な復元処理を実現する（特許文献１を参照）。
【００２４】
また、ＭＩＭＯ通信システム１において、例えば、送信装置１００と受信装置２００との間に見通しがある場合には、ＭＩＭＯ伝送路の相関が高くなってしまう。この場合、受信装置２００による信号分離特性が劣化し、ＭＩＭＯ通信システム１にて伝送可能な通信容量が大幅に低下する。このような問題を解決するため、信号伝送に用いる通信アンテナを指定する（例えば、送信装置１００に備えた送信アンテナのうち、信号伝送に用いる所定の送信アンテナのみを指定する）伝送モードを決定し、その伝送モードにて受信処理を行う（特許文献２を参照）。具体的には、伝送モード毎に伝送路特性を推定し、伝送路特性から通信容量を推定し、伝送モード毎に推定した通信容量に基づいて、所望の通信容量を満たす伝送モードを決定し、決定した伝送モードにて受信処理を行う。
【先行技術文献】
【特許文献】
【００２５】
【特許文献１】特開２００８−１２４８１８号公報
【特許文献２】特開２００４−１９４２６２号公報
【発明の概要】
【発明が解決しようとする課題】
【００２６】
図１６〜図１８に示したＭＯＭＩ通信システム１において、受信信号ｙ１，ｙ２を伝送路特性ｈ11，ｈ21，ｈ12，ｈ22及び送信信号ｘ１，ｘ２で表すと、以下の式となる。
ｙ1＝ｈ11ｘ1＋ｈ12ｘ2      ・・・（１）
ｙ2＝ｈ21ｘ1＋ｈ22ｘ2      ・・・（２）
【００２７】
受信信号ｙ１は、前記式（１）で表される。いま、ＭＩＭＯ伝送路の相関が高く、伝送路特性ｈ11，ｈ12が同一である場合を想定すると、受信信号ｙ１は、以下の式で表される。伝送路特性ｈ11，ｈ12＝１とする。
ｙ1＝ｘ1＋ｘ2      ・・・（３）
【００２８】
図２０は、変調方式がＱＰＳＫの場合における送信信号ｘ１，ｘ２のコンスタレーションを示す図であり、図２１は、送信パターン及び受信パターンを説明する図であり、図２２は、受信信号ｙ１における参照点のコンスタレーションを示す図である。図２０に示すように、送信アンテナＴｘ１から送信される送信信号ｘ１は、「００」「１０」「１１」「０１」であり、４つのパターンがある。送信アンテナＴｘ２から送信される送信信号ｘ２も同様である。このため、送信アンテナが２本の場合には、送信側の送信パターンの数は、図２１に示すように、４×４＝１６となる
【００２９】
一方、送信パターンの数が１６であるのに対し、図２１及び図２２に示すように、受信信号ｙ１の受信パターンの数は９である（図２１において、受信信号ｙ１（Ｉ，Ｑ）における参照点の組み合わせの数９、及び図２２における信号点配置数９を参照）。受信信号ｙ２についても同様である。
【００３０】
例えば、送信信号がｘ１＝００，ｘ２＝１１の場合、受信点信号である受信信号はｙ１＝０，０であり、送信信号がｘ１＝０１，ｘ２＝１０の場合も同様に、受信点信号である受信信号はｙ１＝０，０である（図２１の→の箇所を参照）。送信信号がｘ１＝１０，ｘ２＝０１の場合も同様に、受信点信号である受信信号はｙ１＝０，０であり、送信信号がｘ１＝１１，ｘ２＝００の場合も同様に、受信点信号である受信信号はｙ１＝０，０である（図２１の←の箇所を参照）。
【００３１】
これは、同じ受信信号ｙ１＝０，０から前述の４つの送信パターンが考えられ、ＡＷＧＮ環境においてＣ／Ｎ＝∞であったとしても、送信パターンを識別することができないことを意味する。また、受信信号ｙ１＝２，０の場合、受信信号ｙ１＝０，２の場合、受信信号ｙ１＝０，−２の場合、及び受信信号ｙ１＝−２，０の場合は、２つの送信パターンが考えられ、同様に、送信パターンを識別することができない。
【００３２】
つまり、図１６〜図１８に示したＭＩＭＯ通信システム１において、受信装置２００のＭＬＤ部２３は、伝送路特性ｈ11，ｈ12が同一である場合、送信信号ｘ１，ｘ２と伝送路特性ｈ11，ｈ12とを用いて受信信号ｙ１における受信パターンの参照点を設定すると、信号点配置数９の参照点しか設定することができず、送信信号ｘ１，ｘ２の信号点１６に対応した参照点を設定することができない。同様に、ＭＬＤ部２３は、伝送路特性ｈ21，ｈ22が同一である場合、送信信号ｘ１，ｘ２と伝送路特性ｈ21，ｈ22とを用いて受信信号ｙ２における受信パターンの参照点を設定すると、信号点配置数９の参照点しか設定することができず、送信信号ｘ１，ｘ２の信号点１６に対応した参照点を設定することができない。このため、送信信号ｘ１，ｘ２のＬＬＲが０に近い値になり、後段の誤り訂正内符号復号部２４及び誤り訂正外符号復号部２５において、誤り訂正処理が正しく行われず、元の映像音声データを復元することができない場合がある。
【００３３】
このように、図１６に示したＭＩＭＯ通信システム１による空間多重ＭＩＭＯ伝送方式において、伝送路特性が全く同じである場合には、受信したＯＦＤＭ信号の受信処理を行うことができず、元の映像音声データを復元することができないという問題があった。つまり、ＭＩＭＯ伝送路の相関が高い場合には、送信パターンの識別が困難になることから、受信したＯＦＤＭ信号の受信処理を正しく行うことができず、元の映像音声データを正確に復元することが難しくなるという問題があった。
【００３４】
前述の特許文献２の手法は、ＭＩＭＯ伝送路の相関が高い場合に、信号伝送に用いる通信アンテナを指定する伝送モードを決定し、その伝送モードにおける送信アンテナのみを用いた伝送により、受信処理を行うものである。しかしながら、この手法では、伝送モードに対応した所定の送信アンテナのみを用いるものであり、通信容量が低下してしまい、本来のＭＩＭＯ伝送を実現することができない。
【００３５】
そこで、本発明は前記課題を解決するためになされたものであり、その目的は、ＭＩＭＯ伝送路の伝送路特性が同じ場合であっても、元のデータを正しく復元可能なＭＩＭＯ送信装置、ＭＩＭＯ受信装置及びＭＩＭＯ通信システムを提供することにある。
【課題を解決するための手段】
【００３６】
前記目的を達成するために、請求項１のＭＩＭＯ送信装置は、複数の送信アンテナを備え、送信対象のデータの送信信号を前記複数の送信アンテナからそれぞれ送信するＭＩＭＯ送信装置と、複数の受信アンテナを備え、前記複数の送信アンテナと前記複数の受信アンテナとの間のＭＩＭＯ伝送路を介して、前記送信信号を受信し、前記ＭＩＭＯ伝送路の伝送路特性を推定し、前記複数の送信アンテナから送信された送信信号の尤度を算出し、前記送信信号の尤度を用いて元の送信対象のデータを復元するＭＩＭＯ受信装置とにより構成されるＭＩＭＯ通信システムにおける前記ＭＩＭＯ送信装置であって、前記送信対象のデータを、所定の変調方式によりキャリア変調してマッピングするキャリア変調部と、前記キャリア変調部によりキャリア変調されたデータを、前記複数の送信アンテナに対応する送信系統の信号にそれぞれ分割する分割部と、前記分割部により分割された複数の送信系統の信号に対し、前記送信系統間で異なる位相になるように、前記送信系統の信号の位相を回転させる位相器と、前記位相器から送信系統間で異なる位相の信号を入力し、前記複数の送信系統の信号のそれぞれに対し、ＯＦＤＭフレームを構成するＯＦＤＭフレーム化部と、前記ＯＦＤＭフレーム化部により生成されたＯＦＤＭ信号をＩＦＦＴするＩＦＦＴ部と、を備え、前記送信系統間で異なる位相のＯＦＤＭ信号を、前記複数の送信アンテナからそれぞれ送信する、ことを特徴とする。
【００３７】
また、請求項２のＭＩＭＯ送信装置は、請求項１に記載のＭＩＭＯ送信装置において、前記位相器が、前記分割部により分割された複数の送信系統の信号に対し、前記送信系統間で異なる位相になるように、少なくとも１つの送信系統の信号の位相を回転させる、ことを特徴とする。
【００３８】
また、請求項３のＭＩＭＯ送信装置は、請求項１に記載のＭＩＭＯ送信装置において、前記位相器が、前記分割部により分割された複数の送信系統の信号に対し、前記送信系統間で異なる位相になるように、全ての送信系統の信号の位相を回転させる、ことを特徴とする。
【００３９】
また、請求項４のＭＩＭＯ送信装置は、請求項１から３までのいずれか一項に記載のＭＩＭＯ送信装置において、前記位相器が、前記分割部により分割された複数の送信系統の信号に対し、前記送信系統間で異なる位相になるように、前記送信系統の信号の位相を、シンボル単位またはキャリア単位に回転させる、ことを特徴とする。
【００４０】
さらに、請求項５のＭＩＭＯ受信装置は、請求項１から４までのいずれか一項に記載のＭＩＭＯ送信装置と、複数の受信アンテナを備え、前記複数の送信アンテナと前記複数の受信アンテナとの間のＭＩＭＯ伝送路を介して、前記送信信号を受信し、前記ＭＩＭＯ伝送路の伝送路特性を推定し、前記複数の送信アンテナから送信された送信信号の尤度を算出し、前記送信信号の尤度を用いて元の送信対象のデータを復元するＭＩＭＯ受信装置とにより構成されるＭＩＭＯ通信システムにおける前記ＭＩＭＯ受信装置であって、前記複数の受信アンテナに対応する受信系統毎に、受信したＯＦＤＭ信号をＦＦＴするＦＦＴ部と、前記ＦＦＴ部によりＦＦＴされたＯＦＤＭ信号に基づいて、前記ＭＩＭＯ伝送路の伝送路特性を推定する伝送路推定部と、予め設定された、前記ＭＩＭＯ送信装置から送信される前記送信系統間で異なる位相の送信信号と、前記伝送路推定部により推定された伝送路特性とを用いて受信パターンの参照点を設定し、前記受信パターンの参照点に基づいて、前記複数の送信系統における送信信号の尤度を算出する尤度算出部と、前記尤度算出部により算出された尤度に基づいて、元の送信対象のデータに復号する復号部と、を備えたことを特徴とする。
【００４１】
さらに、請求項６のＭＩＭＯ通信システムは、請求項１から４までのいずれか一項に記載のＭＩＭＯ送信装置と、請求項５に記載のＭＩＭＯ受信装置とにより構成されることを特徴とする。
【発明の効果】
【００４２】
以上のように、本発明によれば、送信側において、複数系統の送信信号に対して異なる位相回転を与えるようにしたから、ＭＩＭＯ伝送路の伝送路特性が同じ場合であっても、受信側において、受信信号における参照点の数を送信信号の組み合わせ数と同じにすることができる。これにより、送信信号のパターンを識別することができ、元のデータを正しく復元することが可能となる。
【図面の簡単な説明】
【００４３】
【図１】実施例１による送信装置の構成を示すブロック図である。
【図２】位相器の処理を説明する図である。
【図３】実施例１による送信信号ｘ１，ｘ２のコンスタレーションを示す図である。
【図４】実施例１による送信信号ｘ１，ｘ２の位相を説明する図である。
【図５】実施例１による受信信号ｙ１の参照点のコンスタレーションを示す図である。
【図６】実施例２による送信装置の構成を示すブロック図である。
【図７】実施例２による送信信号ｘ１，ｘ２のコンスタレーションを示す図である。
【図８】実施例２による送信信号ｘ１，ｘ２の位相を説明する図である。
【図９】実施例２による受信信号ｙ１の参照点のコンスタレーションを示す図である。
【図１０】変形例１による送信信号ｘ１，ｘ２の位相を説明する図である。
【図１１】変形例２による送信信号ｘ１，ｘ２の位相を説明する図である。
【図１２】変形例３による送信信号ｘ１，ｘ２の位相を説明する図である。
【図１３】変形例４による送信信号ｘ１，ｘ２の位相を説明する図である。
【図１４】変形例５による送信信号ｘ１，ｘ２の位相を説明する図である。
【図１５】変形例６による送信信号ｘ１，ｘ２の位相を説明する図である。
【図１６】ＭＩＭＯ通信システムの構成例を示す図である。
【図１７】従来の送信装置の構成を示すブロック図である。
【図１８】従来の受信装置の構成を示すブロック図である。
【図１９】ＬＬＲの算出例を説明する図である。
【図２０】変調方式がＱＰＳＫの場合における送信信号ｘ１，ｘ２のコンスタレーションを示す図である。
【図２１】送信パターン及び受信パターンを説明する図である。
【図２２】受信信号ｙ１における参照点のコンスタレーションを示す図である。
【発明を実施するための形態】
【００４４】
以下、本発明を実施するための形態について図面を用いて詳細に説明する。
〔実施例１〕
まず、実施例１について説明する。実施例１は、２本の送信アンテナ１０１（送信アンテナＴｘ１，Ｔｘ２）と２本の受信アンテナ２０１（受信アンテナＲｘ１，Ｒｘ２）を備えたＭＩＭＯ通信システム１において、一方の系統の送信信号に位相回転を与えるものである。
【００４５】
（送信装置／実施例１）
図１は、実施例１による送信装置の構成を示すブロック図である。この送信装置２−１は、誤り訂正外符号符号化部１０、誤り訂正内符号符号化部１１、キャリア変調部１２、分割部１３、位相器１７、ＯＦＤＭフレーム化部１４−１，１４−２、ＩＦＦＴ部１５−１，１５−２、ＧＩ付加部１６−１，１６−２、及び２本の送信アンテナ１０１を備えている。ＯＦＤＭフレーム化部１４−１、ＩＦＦＴ部１５−１、ＧＩ付加部１６−１及び送信アンテナＴｘ１により第１の送信系統が構成される。また、位相器１７、ＯＦＤＭフレーム化部１４−２、ＩＦＦＴ部１５−２、ＧＩ付加部１６−２及び送信アンテナＴｘ２により第２の送信系統が構成される。
【００４６】
図１において、図１７と共通する部分には図１７と同一の符号を付し、その詳しい説明は省略する。図１７に示した従来の送信装置１００と図１に示す実施例１による送信装置２−１とを比較すると、両送信装置２−１，１００共に、誤り訂正外符号符号化部１０、誤り訂正内符号符号化部１１、キャリア変調部１２、分割部１３、ＯＦＤＭフレーム化部１４−１，１４−２、ＩＦＦＴ部１５−１，１５−２、ＧＩ付加部１６−１，１６−２、及び２本の送信アンテナ１０１を備えている点で同一である。これに対し、送信装置２−１は、送信装置１００の構成に加え、第２の送信系統に位相器１７を備えている点で相違する。
【００４７】
送信装置２−１の位相器１７は、分割部１３により分割された他方の信号（第２の送信系統の信号）を入力し、全てのデータ信号に対し、その位相を予め設定された位相分回転させる。そして、位相器１７は、位相が回転したデータ信号をＯＦＤＭフレーム化部１４−２に出力する。
【００４８】
具体的には、位相器１７は、次式のように、分割部１３から入力したキャリア変調後のデータ信号（入力信号Ｔｘ＿Ｉ，Ｔｘ＿Ｑ）に対し、予め設定された位相α度（°）分回転させ、位相回転後のデータ信号（出力信号Ｔｘ＿Ｉ’，Ｔｘ＿Ｑ’）をＯＦＤＭフレーム化部１４−２に出力する。
Tx_I’=Tx_I×cos(π×α/180)−Tx_Q×sin(π×α/180)    ・・・（４）
Tx_Q’=Tx_I×sin(π×α/180)＋Tx_Q×cos(π×α/180)    ・・・（５）
ここで、ｃｏｓ（π×α／１８０）及びｓｉｎ（π×α／１８０）における（）内の計算は、度（°）からラジアンへの変換処理を示す。
【００４９】
図２は、位相器１７の処理を説明する図であり、キャリア変調方式がＱＰＳＫ及び位相α＝３０°の場合の例を示している。図２において、位相器１７の入力信号が「００」の場合、すなわち入力信号Ｔｘ＿Ｉ＝１，Ｔｘ＿Ｑ＝１の場合、前記式（４）（５）により、位相α＝３０°回転した出力信号「００」、すなわち出力信号Ｔｘ＿Ｉ’＝０．３７，Ｔｘ＿Ｑ’＝１．３７が出力される。同様に、例えば、位相器１７の入力信号が「０１」の場合、すなわち入力信号Ｔｘ＿Ｉ＝１，Ｔｘ＿Ｑ＝−１の場合、前記式（４）（５）により、位相α＝３０°回転した出力信号「０１」、すなわち出力信号Ｔｘ＿Ｉ’＝１．３７，Ｔｘ＿Ｑ’＝−０．３７が出力される。
【００５０】
これにより、第２の送信系統の送信アンテナＴｘ２から、位相回転処理が施されたデータ信号及び位相回転処理が施されていないパイロット信号を含む送信信号ｘ２が送信される。また、第１の送信系統の送信アンテナＴｘ１から、位相回転処理が施されていないデータ信号及びパイロット信号を含む送信信号ｘ１が送信される。
【００５１】
図３は、実施例１による送信信号ｘ１，ｘ２のコンスタレーションを示す図であり、キャリア変調方式がＱＰＳＫ及び位相α＝３０°の場合の例を示している。また、図４は、実施例１による送信信号ｘ１，ｘ２の位相を説明する図である。図３及び図４に示すように、全てのデータキャリアにおいて、送信信号ｘ１として、位相回転処理が施されていないデータ信号が送信され、送信信号ｘ２として、位相α＝３０°の位相回転処理が施されたデータ信号が送信される。この場合、パイロットキャリアは、第１及び第２の送信系統において、位相回転処理が施されない。
【００５２】
以上のように、実施例１による送信装置２−１によれば、位相器１７は、第２の送信系統の全てのデータ信号に対し、その位相を予め設定された位相分回転させるようにした。これにより、送信アンテナＴｘ１から、位相回転処理が施されていないデータ信号及びパイロット信号を含む送信信号ｘ１が送信され、送信アンテナＴｘ２から、位相回転処理が施されたデータ信号及び位相回転処理が施されていないパイロット信号を含む送信信号ｘ２が送信される。
【００５３】
そして、受信装置は、送信装置２−１から送信された位相回転処理が施されていない送信信号ｘ１及び位相回転処理が施された送信信号ｘ２を、ＭＩＭＯ伝送路を介して受信し、送信信号ｘ１，ｘ２と推定した伝送路特性ｈ11，ｈ12，ｈ21，ｈ22とを用いて受信パターンの参照点を設定し、この受信パターンの参照点に基づいて、送信信号ｘ１，ｘ２のＬＬＲを算出する。これにより、ＭＩＭＯ伝送路の伝送路特性が同じ場合であっても（ｈ11＝ｈ12，ｈ21＝ｈ22）、受信パターンの参照点の数は、送信信号ｘ１，ｘ２の組み合わせ数と同じになる。
【００５４】
従来は、ＭＩＭＯ伝送路の伝送路特性が同じ場合に、受信パターンの参照点の数が送信信号ｘ１，ｘ２の組み合わせ数よりも少なくなってしまい、誤り訂正可能なＬＬＲを算出することができず、元の映像音声データを復元することができない場合があった。これに対し、実施例１によれば、ＭＩＭＯ伝送路の伝送路特性が同じ場合であっても、受信パターンの参照点の数を、送信信号ｘ１，ｘ２の組み合わせ数と同じにすることができるから、送信信号ｘ１，ｘ２のパターンを識別することができ、誤り訂正可能なＬＬＲを算出することができる。したがって、元の映像音声データを正しく復元することが可能となる。
【００５５】
（受信装置／実施例１）
次に、実施例１による受信装置について説明する。実施例１による受信装置は、図示しないが、図１８に示した従来の受信装置２００の構成のうち、ＭＬＤ部２３とは異なる新たなＭＬＤ部２６を備えている。受信アンテナ２０１、ＧＩ除去部２０−１，２０−２、ＦＦＴ部２１−１，２１−２、伝送路推定部２２−１，２２−２、誤り訂正内符号復号部２４及び誤り訂正外符号復号部２５については、図１８にて説明済みであるから、ここでは説明を省略する。
【００５６】
実施例１による受信装置のＭＬＤ部２６は、ＭＬＤ部２３と同様に、伝送路推定部２２−１により推定された伝送路特性ｈ11，ｈ12、及び伝送路推定部２２−２により推定された伝送路特性ｈ21，ｈ22を入力すると共に、ＯＦＤＭ信号から分離されたデータ信号について、受信信号ｙ１，ｙ２を入力する。
【００５７】
そして、ＭＬＤ部２６は、送信信号ｘ１及び位相回転処理が施された送信信号ｘ２と伝送路特性ｈ11，ｈ12，ｈ21，ｈ22とを用いて受信パターンの参照点を設定する。ここで、送信装置ｘ１には位相回転処理が施されず、送信信号ｘ２には位相αの位相回転処理が施されることを示す送信装置２−１側の位相回転情報が、ＭＬＤ部２６に予め設定されているものとする。そして、ＭＬＤ部２６は、送信信号ｘ１及び位相回転処理が施された送信信号ｘ２の所定のビットデータを０，１とした場合に、受信信号ｘ１，ｘ２の受信信号点と受信パターンの参照点との間で最も近い距離をそれぞれ算出する。そして、ＭＬＤ部２６は、算出した距離のうち最も近い距離を用いて、送信信号ｘ１，ｘ２のＬＬＲを算出する。ＬＬＲの算出例は、図１９と同様であるので、ここでは詳細な説明を省略する。
【００５８】
図５は、実施例１による受信信号ｙ１の参照点のコンスタレーションを示す図であり、キャリア変調方式がＱＰＳＫ及び伝送路特性ｈ11，ｈ12が同じ場合（ｈ11＝ｈ12＝１）の例を示している。図５に示すように、ＭＬＤ部２６は、２ビットの送信信号ｘ１の信号点に伝送路特性ｈ11を乗算し、２ビットの送信信号ｘ２の信号点に伝送路特性ｈ12を乗算し、乗算結果を加算することで、受信信号ｙ１における受信パターンの参照点を設定する。このように、受信パターンの参照点として、送信信号ｘ１，ｘ２の信号点における組み合わせの数１６と同じ数の参照点を設定することができる。受信信号ｙ２についても同様である。
【００５９】
従来は、図２２に示したとおり、伝送路特性ｈ11，ｈ12が同一である場合、受信パターンの参照点として、信号点配置数９の参照点しか設定することができず、誤り訂正可能なＬＬＲを算出することができなかった。実施例１による受信装置では、ＭＬＤ部２６は、受信パターンの参照点として、送信信号ｘ１，ｘ２の信号点における組み合わせの数１６に対応した参照点を設定することができ、誤り訂正可能なＬＬＲを算出することができる。
【００６０】
以上のように、実施例１による受信装置によれば、受信装置が、送信装置２−１から送信された位相回転処理が施されていない送信信号ｘ１及び位相回転処理が施された送信信号ｘ２を、ＭＩＭＯ伝送路を介して受信する。そして、ＭＬＤ部２６は、送信信号ｘ１，ｘ２と推定した伝送路特性ｈ11，ｈ12，ｈ21，ｈ22とを用いて受信パターンの参照点を設定し、送信信号ｘ１，ｘ２の所定のビットデータを０，１とした場合に、受信信号ｘ１，ｘ２の受信信号点と受信パターンの参照点との間で最も近い距離をそれぞれ算出し、送信信号ｘ１，ｘ２のＬＬＲを算出するようにした。
【００６１】
これにより、ＭＩＭＯ伝送路の伝送路特性が同じ場合であっても（ｈ11＝ｈ12，ｈ21＝ｈ22）、受信パターンの参照点の数は、送信信号ｘ１，ｘ２の組み合わせ数と同じになる。従来は、ＭＩＭＯ伝送路の伝送路特性が同じ場合に、受信パターンの参照点の数が送信信号ｘ１，ｘ２の組み合わせ数よりも少なくなってしまい、誤り訂正可能なＬＬＲを算出することができず、元の映像音声データを復元することができない場合があった。これに対し、実施例１によれば、ＭＩＭＯ伝送路の伝送路特性が同じ場合であっても、受信パターンの参照点の数を、送信信号ｘ１，ｘ２の組み合わせ数と同じにすることができるから、送信信号ｘ１，ｘ２のパターンを識別することができ、誤り訂正可能なＬＬＲを算出することができる。したがって、元の映像音声データを正しく復元することが可能となる。
【００６２】
〔実施例２〕
次に、実施例２について説明する。実施例２は、２本の送信アンテナ１０１（送信アンテナＴｘ１，Ｔｘ２）と２本の受信アンテナ２０１（受信アンテナＲｘ１，Ｒｘ２）を備えたＭＩＭＯ通信システム１において、一方の系統の位相回転と他の系統の位相回転とが異なるように、両系統の送信信号に位相回転を与えるものである。
【００６３】
（送信装置／実施例２）
図６は、実施例２による送信装置の構成を示すブロック図である。この送信装置２−２は、誤り訂正外符号符号化部１０、誤り訂正内符号符号化部１１、キャリア変調部１２、分割部１３、位相器１７−１，１７−２、ＯＦＤＭフレーム化部１４−１，１４−２、ＩＦＦＴ部１５−１，１５−２、ＧＩ付加部１６−１，１６−２、及び２本の送信アンテナ１０１を備えている。位相器１７−１、ＯＦＤＭフレーム化部１４−１、ＩＦＦＴ部１５−１、ＧＩ付加部１６−１及び送信アンテナＴｘ１により第１の送信系統が構成される。また、位相器１７−２、ＯＦＤＭフレーム化部１４−２、ＩＦＦＴ部１５−２、ＧＩ付加部１６−２及び送信アンテナＴｘ２により第２の送信系統が構成される。
【００６４】
図６において、図１及び図１７と共通する部分には図１及び図１７と同一の符号を付し、その詳しい説明は省略する。図１に示した実施例１による送信装置２−１と図６に示す実施例２による送信装置２−２とを比較すると、両送信装置２−１，２−２共に、誤り訂正外符号符号化部１０、誤り訂正内符号符号化部１１、キャリア変調部１２、分割部１３、ＯＦＤＭフレーム化部１４−１，１４−２、ＩＦＦＴ部１５−１，１５−２、ＧＩ付加部１６−１，１６−２、及び２本の送信アンテナ１０１を備えている点で同一である。これに対し、送信装置２−２は、送信装置２−１の位相器１７の代わりに、第１の送信系統に位相器１７−１を備え、第２の送信系統に位相器１７−２を備えている点で相違する。
【００６５】
送信装置２−２の位相器１７−１は、分割部１３により分割された一方の信号（第１の送信系統の信号）を入力し、全てのデータ信号に対し、その位相を予め設定された位相分回転させる。そして、位相器１７−１は、位相が回転したデータ信号をＯＦＤＭフレーム化部１４−１に出力する。
【００６６】
送信装置２−２の位相器１７−２は、分割部１３により分割された他方の信号（第２の送信系統の信号）を入力し、全てのデータ信号に対し、その位相を、位相器１７−１にて予め設定された位相とは異なる位相分回転させる。そして、位相器１７−２は、位相が回転したデータ信号をＯＦＤＭフレーム化部１４−２に出力する。
【００６７】
図７は、実施例２による送信信号ｘ１，ｘ２のコンスタレーションを示す図であり、キャリア変調方式がＱＰＳＫ、位相器１７−１にて回転させる位相α１＝１５°、及び位相器１７−２にて回転させる位相α２＝−１５°の場合の例を示している。図８は、実施例２による送信信号ｘ１，ｘ２の位相を説明する図である。この例では、位相器１７−１は、入力した全てのデータ信号に対し、予め設定された位相α１＝１５°の回転処理を施し、位相器１７−２は、入力した全てのデータ信号に対し、予め設定された位相α２＝−１５°の回転処理を施す。
【００６８】
図７及び図８に示すように、全てのデータキャリアにおいて、送信信号ｘ１として、位相α１＝１５°の位相回転処理が施されたデータ信号が送信され、送信信号ｘ２として、位相α２＝−１５°の位相回転処理が施されたデータ信号が送信される。この場合、パイロットキャリアは、第１及び第２の送信系統において、位相回転処理が施されない。
【００６９】
以上のように、実施例２による送信装置２−２によれば、位相器１７−１は、第１の送信系統の全てのデータ信号に対し、その位相を予め設定された位相分回転させるようにし、位相器１７−２は、第２の送信系統の全てのデータ信号に対し、その位相を、位相器１７−１にて予め設定された位相とは異なる位相分回転させるようにした。これにより、送信アンテナＴｘ１から、位相回転処理が施されたデータ信号及び位相回転処理が施されていないパイロット信号を含む送信信号ｘ１が送信され、送信アンテナＴｘ２から、送信信号ｘ１とは異なる位相回転処理が施されたデータ信号及び位相回転処理が施されていないパイロット信号を含む送信信号ｘ２が送信される。
【００７０】
そして、受信装置は、送信装置２−２から送信された位相回転処理が施された送信信号ｘ１及び送信信号ｘ１とは異なる位相回転処理が施された送信信号ｘ２を、ＭＩＭＯ伝送路を介して受信し、送信信号ｘ１，ｘ２と推定した伝送路特性ｈ11，ｈ12，ｈ21，ｈ22とを用いて受信パターンの参照点を設定し、この受信パターンの参照点に基づいて、送信信号ｘ１，ｘ２のＬＬＲを算出する。これにより、ＭＩＭＯ伝送路の伝送路特性が同じ場合であっても（ｈ11＝ｈ12，ｈ21＝ｈ22）、受信パターンの参照点の数は、送信信号ｘ１，ｘ２の組み合わせ数と同じになる。したがって、送信信号ｘ１，ｘ２のパターンを識別可能なＬＬＲを算出することができ、元の映像音声データを正しく復元することが可能となる。
【００７１】
（受信装置／実施例２）
次に、実施例２による受信装置について説明する。実施例２による受信装置は、図示しないが、図１８に示した従来の受信装置２００の構成のうち、ＭＬＤ部２３とは異なるＭＬＤ部２６であって、実施例１のＭＬＤ部２６とも異なる新たなＭＬＤ部２６を備えている。受信アンテナ２０１、ＧＩ除去部２０−１，２０−２、ＦＦＴ部２１−１，２１−２、伝送路推定部２２−１，２２−２、誤り訂正内符号復号部２４及び誤り訂正外符号復号部２５については、図１８にて説明済みであるから、ここでは説明を省略する。
【００７２】
実施例２による受信装置のＭＬＤ部２６は、ＭＬＤ部２３と同様に、伝送路推定部２２−１により推定された伝送路特性ｈ11，ｈ12、及び伝送路推定部２２−２により推定された伝送路特性ｈ21，ｈ22を入力すると共に、ＯＦＤＭ信号から分離されたデータ信号について、受信信号ｙ１，ｙ２を入力する。
【００７３】
そして、ＭＬＤ部２６は、位相回転処理が施された送信信号ｘ１，２と伝送路特性ｈ11，ｈ12，ｈ21，ｈ22とを用いて受信パターンの参照点を設定する。ここで、送信信号ｘ１には位相α１の位相回転処理が施され、送信信号ｘ２には位相α２の位相回転処理が施されることを示す送信装置２−２側の位相回転情報が、ＭＬＤ部２６に予め設定されているものとする。そして、ＭＬＤ部２６は、位相回転処理が施された送信信号ｘ１，ｘ２の所定のビットデータを０，１とした場合に、受信信号ｘ１，ｘ２の受信信号点と受信パターンの参照点との間で最も近い距離をそれぞれ算出する。そして、ＭＬＤ部２６は、算出した距離のうち最も近い距離を用いて、送信信号ｘ１，ｘ２のＬＬＲを算出する。ＬＬＲの算出例は、図１９と同様であるので、ここでは詳細な説明を省略する。
【００７４】
図９は、実施例２による受信信号ｙ１の参照点のコンスタレーションを示す図であり、キャリア変調方式がＱＰＳＫ及び伝送路特性ｈ11，ｈ12が同じ場合（ｈ11＝ｈ12＝１）の例を示している。図９に示すように、ＭＬＤ部２６は、２ビットの送信信号ｘ１の信号点に伝送路特性ｈ11を乗算し、２ビットの送信信号ｘ２の信号点に伝送路特性ｈ12を乗算し、乗算結果を加算することで、受信信号ｙ１における受信パターンの参照点を設定する。このように、受信パターンの参照点として、送信信号ｘ１，ｘ２の信号点における組み合わせの数１６と同じ数の参照点を設定することができる。受信信号ｙ２についても同様である。
【００７５】
従来は、伝送路特性ｈ11，ｈ12が同一である場合、受信パターンの参照点として、信号点配置数９の参照点しか設定することができず、誤り訂正可能なＬＬＲを算出することができなかった。実施例２による受信装置では、ＭＬＤ部２６は、受信パターンの参照点として、送信信号ｘ１，ｘ２の信号点における組み合わせの数１６に対応した参照点を設定することができ、誤り訂正可能なＬＬＲを算出することができる。
【００７６】
以上のように、実施例２による受信装置によれば、受信装置が、送信装置２−２から送信された位相回転処理が施された送信信号ｘ１及び送信信号ｘ１とは異なる位相回転処理が施された送信信号ｘ２を、ＭＩＭＯ伝送路を介して受信する。そして、ＭＬＤ部２６は、送信信号ｘ１，ｘ２と推定した伝送路特性ｈ11，ｈ12，ｈ21，ｈ22とを用いて受信パターンの参照点を設定し、送信信号ｘ１，ｘ２の所定のビットデータを０，１とした場合に、受信信号ｘ１，ｘ２の受信信号点と受信パターンの参照点との間で最も近い距離をそれぞれ算出し、送信信号ｘ１，ｘ２のＬＬＲを算出するようにした。
【００７７】
これにより、ＭＩＭＯ伝送路の伝送路特性が同じ場合であっても（ｈ11＝ｈ12，ｈ21＝ｈ22）、受信パターンの参照点の数は、送信信号ｘ１，ｘ２の組み合わせ数と同じになる。したがって、送信信号ｘ１，ｘ２のパターンを識別可能なＬＬＲを算出することができ、元の映像音声データを正しく復元することが可能となる。
【００７８】
〔実施例１の変形例〕
次に、実施例１の変形例について説明する。変形例１は、ＭＩＭＯ通信システム１において、一方の系統の送信信号に対し、データキャリア単位に異なる位相回転を与えるものである。また、変形例２は、一方の系統の送信信号に対し、シンボル単位に異なる位相回転を与えるものである。また、変形例３は、一方の系統の送信信号に対し、シンボル単位かつデータキャリア単位に異なる位相回転を与えるものである。変形例１〜３による送信装置の構成は、図１に示した実施例１による送信装置２−１の構成と同様である。また、変形例１〜３による受信装置の構成は、実施例１による受信装置の構成と同様である。
【００７９】
（変形例１）
実施例１では、一方の系統の送信信号に対し、全てのデータキャリアの位相を同じ量だけ回転させていたが、変形例１は、前述のとおり、一方の系統の送信信号に対し、データキャリア単位に異なる位相回転を与える。
【００８０】
図１を参照して、変形例１による送信装置２−１の位相器１７は、実施例１の場合と同様に、分割部１３から入力した第２の送信系統における全てのデータ信号に対し、データキャリア単位に異なる位相になるように、予め設定された位相分回転させる。
【００８１】
図１０は、変形例１による送信信号ｘ１，ｘ２の位相を説明する図である。図１０に示すように、送信信号ｘ１の全てのデータキャリアにおいて、位相回転処理が施されていないデータ信号が送信され、送信信号ｘ２の全てのデータキャリアにおいて、データキャリア単位に異なる位相回転処理が施されたデータ信号が送信される。例えば、送信信号ｘ２について、１番目のキャリア番号のデータキャリアにおいて、位相α＝１０°の位相回転処理が施されたデータ信号が送信され、２番目のキャリア番号のデータキャリアにおいて、位相α＝２０°の位相回転処理が施されたデータ信号が送信され、３番目のキャリア番号のデータキャリアにおいて、位相α＝３０°の位相回転処理が施されたデータ信号が送信される。つまり、送信信号ｘ２について、全てのシンボルに渡ってキャリア番号毎に異なる位相回転処理が施されたデータ信号が送信される。この場合、パイロットキャリアは、第１及び第２の送信系統において、位相回転処理が施されない。
【００８２】
図１８を参照して、変形例１による受信装置のＭＬＤ部２３に代わる新たなＭＬＤ部２６は、実施例１の場合と同様に、位相回転処理が施されていない送信信号ｘ１及びデータキャリア単位に異なる位相回転処理が施された送信信号ｘ２と伝送路特性ｈ11，ｈ12，ｈ21，ｈ22とを用いて受信パターンの参照点を設定する。ここで、送信信号ｘ１には位相回転処理が施されず、送信信号ｘ２にはデータキャリア単位に異なる位相回転処理が施されることを示す送信装置２−１側の位相回転情報が、ＭＬＤ部２６に予め設定されているものとする。そして、ＭＬＤ部２６は、実施例１の場合と同様に、受信パターンの参照点に基づいて、送信信号ｘ１，ｘ２のＬＬＲを算出する。
【００８３】
（変形例２）
変形例２は、前述のとおり、一方の系統の送信信号に対し、同一シンボル内のデータキャリアには同じ位相回転を与え、かつ、シンボル単位に別々の位相回転を与える。
【００８４】
図１を参照して、変形例２による送信装置２−１の位相器１７は、実施例１の場合と同様に、分割部１３から入力した第２の送信系統における全てのデータ信号に対し、シンボル単位に異なる位相になるように、予め設定された位相分回転させる。
【００８５】
図１１は、変形例２による送信信号ｘ１，ｘ２の位相を説明する図である。図１１に示すように、送信信号ｘ１の全てのデータキャリアにおいて、位相回転処理が施されていないデータ信号が送信され、送信信号ｘ２の全てのデータキャリアにおいて、シンボル単位に異なる位相回転処理が施されたデータ信号が送信される。例えば、送信信号ｘ２について、１番目のシンボル番号のデータキャリアにおいて、位相α＝１０°の位相回転処理が施されたデータ信号が送信され、２番目のシンボル番号のデータキャリアにおいて、位相α＝２０°の位相回転処理が施されたデータ信号が送信され、３番目のシンボル番号のデータキャリアにおいて、位相α＝３０°の位相回転処理が施されたデータ信号が送信される。つまり、送信信号ｘ２について、全てのデータキャリアに渡ってシンボル番号毎に異なる位相回転処理が施されたデータ信号が送信される。この場合、パイロットキャリアは、第１及び第２の送信系統において、位相回転処理が施されない。
【００８６】
図１８を参照して、変形例２による受信装置のＭＬＤ部２３に代わる新たなＭＬＤ部２６は、実施例１の場合と同様に、位相回転処理が施されていない送信信号ｘ１及びシンボル単位に異なる位相回転処理が施された送信信号ｘ２と伝送路特性ｈ11，ｈ12，ｈ21，ｈ22とを用いて受信パターンの参照点を設定する。ここで、送信信号ｘ１には位相回転処理が施されず、送信信号ｘ２にはシンボル単位に異なる位相回転処理が施されることを示す送信装置２−１側の位相回転情報が、ＭＬＤ部２６に予め設定されているものとする。そして、ＭＬＤ部２６は、実施例１の場合と同様に、受信パターンの参照点に基づいて、送信信号ｘ１，ｘ２のＬＬＲを算出する。
【００８７】
（変形例３）
変形例３は、前述のとおり、一方の系統の送信信号に対し、シンボル単位かつデータキャリア単位に異なる位相回転を与えるものである。
【００８８】
図１を参照して、変形例３による送信装置２−１の位相器１７は、実施例１の場合と同様に、分割部１３から入力した第２の送信系統における全てのデータ信号に対し、シンボル単位かつデータキャリア単位に異なる位相になるように、予め設定された位相分回転させる。
【００８９】
図１２は、変形例３による送信信号ｘ１，ｘ２の位相を説明する図である。図１２に示すように、送信信号ｘ１の全てのデータキャリアにおいて、位相回転処理が施されていないデータ信号が送信され、送信信号ｘ２の全てのデータキャリアにおいて、シンボル単位かつデータキャリア単位に異なる位相回転処理が施されたデータ信号が送信される。例えば、送信信号ｘ２について、１番目のシンボル番号かつ１番目のキャリア番号のデータキャリアにおいて、位相α＝１０°の位相回転処理が施されたデータ信号が送信され、１番目のシンボル番号かつ２番目のキャリア番号のデータキャリアにおいて、位相α＝２０°の位相回転処理が施されたデータ信号が送信され、１番目のシンボル番号かつ３番目のキャリア番号のデータキャリアにおいて、位相α＝３０°の位相回転処理が施されたデータ信号が送信される。また、送信信号ｘ２について、２番目のシンボル番号かつ１番目のキャリア番号のデータキャリアにおいて、位相α＝１１°の位相回転処理が施されたデータ信号が送信され、２番目のシンボル番号かつ２番目のキャリア番号のデータキャリアにおいて、位相α＝２１°の位相回転処理が施されたデータ信号が送信され、３番目のシンボル番号かつ１番目のキャリア番号のデータキャリアにおいて、位相α＝１２°の位相回転処理が施されたデータ信号が送信される。つまり、送信信号ｘ２について、全てのシンボル及びデータキャリアに渡って、シンボル番号毎かつキャリア番号毎に異なる位相回転処理が施されたデータ信号が送信される。この場合、パイロットキャリアは、第１及び第２の送信系統において、位相回転処理が施されない。
【００９０】
図１８を参照して、変形例３による受信装置のＭＬＤ部２３に代わる新たなＭＬＤ部２６は、実施例１の場合と同様に、位相回転処理が施されていない送信信号ｘ１及びシンボル単位かつデータキャリア単位に異なる位相回転処理が施された送信信号ｘ２と伝送路特性ｈ11，ｈ12，ｈ21，ｈ22とを用いて受信パターンの参照点を設定する。ここで、送信信号ｘ１には位相回転処理が施されず、送信信号ｘ２にはシンボル単位かつデータキャリア単位に異なる位相回転処理が施されることを示す送信装置２−１側の位相回転情報が、ＭＬＤ部２６に予め設定されているものとする。そして、ＭＬＤ部２６は、実施例１の場合と同様に、受信パターンの参照点に基づいて、送信信号ｘ１，ｘ２のＬＬＲを算出する。
【００９１】
以上のように、実施例１の変形例１〜３によれば、実施例１の場合と同様に、ＭＩＭＯ伝送路の伝送路特性が同じ場合であっても、受信パターンの参照点の数は、送信信号ｘ１，ｘ２の組み合わせ数と同じになる。したがって、送信信号ｘ１，ｘ２のパターンを識別可能なＬＬＲを算出することができ、元の映像音声データを正しく復元することが可能となる。
【００９２】
〔実施例２の変形例〕
次に、実施例２の変形例について説明する。変形例４は、ＭＩＭＯ通信システム１において、一方の系統の位相回転と他の系統の位相回転とが異なるように、両系統の送信信号に対し、データキャリア単位に異なる位相回転を与えるものである。また、変形例５は、一方の系統の位相回転と他の系統の位相回転とが異なるように、両系統の送信信号に対し、シンボル単位に異なる位相回転を与えるものである。また、変形例６は、一方の系統の位相回転と他の系統の位相回転とが異なるように、両系統の送信信号に対し、シンボル単位かつデータキャリア単位に異なる位相回転を与えるものである。変形例４〜６による送信装置の構成は、図６に示した実施例２による送信装置２−２の構成と同様である。また、変形例４〜６による受信装置の構成は、実施例２による受信装置の構成と同様である。
【００９３】
（変形例４）
変形例４は、実施例２では、両系統の送信信号のそれぞれに対し、全てのデータキャリアの位相を同じ量だけ回転させていたが、変形例４は、両系統の送信信号のそれぞれに対し、同一シンボル内のデータキャリア単位で別々の位相回転を与える。
【００９４】
図６を参照して、変形例４による送信装置の位相器１７−１は、実施例２の場合と同様に、分割部１３から入力した第１の送信系統における全てのデータ信号に対し、データキャリア単位に異なる位相になるように、予め設定された位相分回転させる。
【００９５】
位相器１７−２は、実施例２の場合と同様に、分割部１３から入力した第２の送信系統における全てのデータ信号に対し、データキャリア単位に異なる位相になるように、位相器１７−１にて予め設定された位相とは異なる位相分回転させる。
【００９６】
図１３は、変形例４による送信信号ｘ１，ｘ２の位相を説明する図である。図１３に示すように、送信信号ｘ１の全てのデータキャリアにおいて、データキャリア単位に異なる位相回転処理が施されたデータ信号が送信され、送信信号ｘ２の全てのデータキャリアにおいて、データキャリア単位に、送信信号ｘ１とは異なる位相回転処理が施されたデータ信号が送信される。例えば、送信信号ｘ１について、１番目のキャリア番号のデータキャリアにおいて、位相α１＝１０°の位相回転処理が施されたデータ信号が送信され、２番目のキャリア番号のデータキャリアにおいて、位相α１＝２０°の位相回転処理が施されたデータ信号が送信され、３番目のキャリア番号のデータキャリアにおいて、位相α１＝３０°の位相回転処理が施されたデータ信号が送信される。また、送信信号ｘ２について、１番目のキャリア番号のデータキャリアにおいて、位相α２＝−１０°の位相回転処理が施されたデータ信号が送信され、２番目のキャリア番号のデータキャリアにおいて、位相α２＝−２０°の位相回転処理が施されたデータ信号が送信され、３番目のキャリア番号のデータキャリアにおいて、位相α２＝−３０°の位相回転処理が施されたデータ信号が送信される。つまり、送信信号ｘ１，ｘ２について、両系統において異なる位相回転処理が施され、かつ、全てのシンボルに渡ってキャリア番号毎に異なる位相回転処理が施されたデータ信号が送信される。この場合、パイロットキャリアは、第１及び第２の送信系統において、位相回転処理が施されない。
【００９７】
図１８を参照して、変形例４による受信装置のＭＬＤ部２３に代わる新たなＭＬＤ部２６は、実施例２の場合と同様に、データキャリア単位に位相回転処理が施された送信信号ｘ１、及び送信信号ｘ１とは異なる位相回転であってデータキャリア単位に異なる位相回転処理が施された送信信号ｘ２と伝送路特性ｈ11，ｈ12，ｈ21，ｈ22とを用いて受信パターンの参照点を設定する。ここで、送信信号ｘ１にはデータキャリア単位に位相回転処理が施され、送信信号ｘ２には送信信号ｘ１とは異なる位相回転であってデータキャリア単位に異なる位相回転処理が施されることを示す送信装置２−２側の位相回転情報が、ＭＬＤ部２６に予め設定されているものとする。そして、ＭＬＤ部２６は、実施例２の場合と同様に、受信パターンの参照点に基づいて、送信信号ｘ１，ｘ２のＬＬＲを算出する。
【００９８】
（変形例５）
変形例５は、前述のとおり、両系統の送信信号のそれぞれに対し、同一シンボル内のデータキャリアには同じ位相回転を与え、かつ、シンボル毎に別々の位相回転を与える。
【００９９】
図６を参照して、変形例５による送信装置の位相器１７−１は、実施例２の場合と同様に、分割部１３から入力した第１の送信系統における全てのデータ信号に対し、シンボル単位に異なる位相になるように、予め設定された位相分回転させる。
【０１００】
位相器１７−２は、実施例２の場合と同様に、分割部１３から入力した第２の送信系統における全てのデータ信号に対し、シンボル単位に異なる位相になるように、位相器１７−１にて予め設定された位相とは異なる位相分回転させる。
【０１０１】
図１４は、変形例５による送信信号ｘ１，ｘ２の位相を説明する図である。図１４に示すように、送信信号ｘ１の全てのデータキャリアにおいて、シンボル単位に異なる位相回転処理が施されたデータ信号が送信され、送信信号ｘ２の全てのデータキャリアにおいて、シンボル単位に、送信信号ｘ１とは異なる位相回転処理が施されたデータ信号が送信される。例えば、送信信号ｘ１について、１番目のシンボル番号のデータキャリアにおいて、位相α１＝１０°の位相回転処理が施されたデータ信号が送信され、２番目のシンボル番号のデータキャリアにおいて、位相α１＝２０°の位相回転処理が施されたデータ信号が送信され、３番目のシンボル番号のデータキャリアにおいて、位相α１＝３０°の位相回転処理が施されたデータ信号が送信される。また、送信信号ｘ２について、１番目のシンボル番号のデータキャリアにおいて、位相α２＝−１０°の位相回転処理が施されたデータ信号が送信され、２番目のシンボル番号のデータキャリアにおいて、位相α２＝−２０°の位相回転処理が施されたデータ信号が送信され、３番目のキャリア番号のデータキャリアにおいて、位相α２＝−３０°の位相回転処理が施されたデータ信号が送信される。つまり、送信信号ｘ１，ｘ２について、両系統において異なる位相回転処理が施され、かつ、全てのデータキャリアに渡ってシンボル番号毎に異なる位相回転処理が施されたデータ信号が送信される。この場合、パイロットキャリアは、第１及び第２の送信系統において、位相回転処理が施されない。
【０１０２】
図１８を参照して、変形例５による受信装置のＭＬＤ部２３に代わる新たなＭＬＤ部２６は、実施例２の場合と同様に、シンボル単位に位相回転が施された送信信号ｘ１、及び送信信号ｘ１とは異なる位相回転であってシンボル単位に異なる位相回転処理が施された送信信号ｘ２と伝送路特性ｈ11，ｈ12，ｈ21，ｈ22とを用いて受信パターンの参照点を設定する。ここで、送信信号ｘ１にはシンボル単位に位相回転処理が施され、送信信号ｘ２には送信信号ｘ１とは異なる位相回転であってシンボル単位に異なる位相回転処理が施されることを示す送信装置２−２側の位相回転情報が、ＭＬＤ部２６に予め設定されているものとする。そして、ＭＬＤ部２６は、実施例２の場合と同様に、受信パターンの参照点に基づいて、送信信号ｘ１，ｘ２のＬＬＲを算出する。
【０１０３】
（変形例６）
変形例６は、前述のとおり、一方の系統の位相回転と他の系統の位相回転とが異なるように、両系統の送信信号に対し、シンボル単位かつデータキャリア単位に異なる位相回転を与えるものである。
【０１０４】
図６を参照して、変形例６による送信装置の位相器１７−１は、実施例２の場合と同様に、分割部１３から入力した第１の送信系統における全てのデータ信号に対し、シンボル単位かつデータキャリア単位に異なる位相になるように、予め設定された位相分回転させる。
【０１０５】
位相器１７−２は、実施例２の場合と同様に、分割部１３から入力した第２の送信系統における全てのデータ信号に対し、シンボル単位かつデータキャリア単位に異なる位相になるように、位相器１７−１にて予め設定された位相とは異なる位相分回転させる。
【０１０６】
図１５は、変形例６による送信信号ｘ１，ｘ２の位相を説明する図である。図１５に示すように、送信信号ｘ１の全てのデータキャリアにおいて、シンボル単位かつデータキャリア単位に異なる位相回転処理が施されたデータ信号が送信され、送信信号ｘ２の全てのデータキャリアにおいて、シンボル単位かつデータキャリア単位に、送信信号ｘ１とは異なる位相回転処理が施されたデータ信号が送信される。
【０１０７】
例えば、送信信号ｘ１について、１番目のシンボル番号かつ１番目のキャリア番号のデータキャリアにおいて、位相α１＝１０°の位相回転処理が施されたデータ信号が送信され、１番目のシンボル番号かつ２番目のキャリア番号のデータキャリアにおいて、位相α１＝２０°の位相回転処理が施されたデータ信号が送信され、１番目のシンボル番号かつ３番目のキャリア番号のデータキャリアにおいて、位相α１＝３０°の位相回転処理が施されたデータ信号が送信される。また、送信信号ｘ１について、２番目のシンボル番号かつ１番目のキャリア番号のデータキャリアにおいて、位相α１＝１１°の位相回転処理が施されたデータ信号が送信され、２番目のシンボル番号かつ２番目のキャリア番号のデータキャリアにおいて、位相α１＝２１°の位相回転処理が施されたデータ信号が送信され、３番目のシンボル番号かつ１番目のキャリア番号のデータキャリアにおいて、位相α１＝１２°の位相回転処理が施されたデータ信号が送信される。
【０１０８】
また、送信信号ｘ２について、１番目のシンボル番号かつ１番目のキャリア番号のデータキャリアにおいて、位相α２＝−１０°の位相回転処理が施されたデータ信号が送信され、１番目のシンボル番号かつ２番目のキャリア番号のデータキャリアにおいて、位相α２＝−２０°の位相回転処理が施されたデータ信号が送信され、１番目のシンボル番号かつ３番目のキャリア番号のデータキャリアにおいて、位相α２＝−３０°の位相回転処理が施されたデータ信号が送信される。また、送信信号ｘ２について、２番目のシンボル番号かつ１番目のキャリア番号のデータキャリアにおいて、位相α２＝−１１°の位相回転処理が施されたデータ信号が送信され、２番目のシンボル番号かつ２番目のキャリア番号のデータキャリアにおいて、位相α２＝−２１°の位相回転処理が施されたデータ信号が送信され、３番目のシンボル番号かつ１番目のキャリア番号のデータキャリアにおいて、位相α２＝−１２°の位相回転処理が施されたデータ信号が送信される。
【０１０９】
つまり、送信信号ｘ１，ｘ２について、両系統において異なる位相回転処理が施され、かつ、全てのシンボル及びデータキャリアに渡って、シンボル番号毎かつキャリア番号毎に異なる位相回転処理が施されたデータ信号が送信される。この場合、パイロットキャリアは、第１及び第２の送信系統において、位相回転処理が施されない。
【０１１０】
図１８を参照して、変形例６による受信装置のＭＬＤ部２３に代わる新たなＭＬＤ部２６は、実施例２の場合と同様に、シンボル単位かつデータキャリア単位に位相回転処理が施された送信信号ｘ１、及び送信信号ｘ１とは異なる位相回転であってシンボル単位かつデータキャリア単位に異なる位相回転処理が施された送信信号ｘ２と伝送路特性ｈ11，ｈ12，ｈ21，ｈ22とを用いて受信パターンの参照点を設定する。ここで、送信信号ｘ１にはシンボル単位かつデータキャリア単位に位相回転処理が施され、送信信号ｘ２には送信信号ｘ１とは異なる位相回転であってシンボル単位かつデータキャリア単位に異なる位相回転処理が施されることを示す送信装置２−２側の位相回転情報が、ＭＬＤ部２６に予め設定されているものとする。そして、ＭＬＤ部２６は、実施例２の場合と同様に、受信パターンの参照点に基づいて、送信信号ｘ１，ｘ２のＬＬＲを算出する。
【０１１１】
以上のように、実施例２の変形例４〜６によれば、実施例２の場合と同様に、ＭＩＭＯ伝送路の伝送路特性が同じ場合であっても、受信パターンの参照点の数は、送信信号ｘ１，ｘ２の組み合わせ数と同じになる。したがって、送信信号ｘ１，ｘ２のパターンを識別可能なＬＬＲを算出することができ、元の映像音声データを正しく復元することが可能となる。
【０１１２】
以上、実施例１，２及び変形例１〜６を挙げて本発明を説明したが、本発明は前記実施例１，２及び変形例１〜６に限定されるものではなく、その技術思想を逸脱しない範囲で種々変形可能である。例えば、前記実施例１，２及び変形例１〜６では、受信装置は、最尤判定法を行うＭＬＤ部２６を備えるようにしたが、ＭＬＤ部２６の代わりに、ＱＲ分解を行い送信信号ｘ１，ｘ２のＬＬＲを算出するＱＲ−ＭＬＤ（ＱＲ−Maximum Likelihood Detection）部を備えるようにしてもよい。また、他の手法により送信信号ｘ１，ｘ２のＬＬＲを算出するようにしてもよい。
【０１１３】
また、実施例１及び実施例１の変形例１〜３では、図１に示したように、送信装置２−１は、第２の送信系統に位相器１７を備えるようにしたが、図６に示したものと同一の構成になるように、第１の送信系統に位相器１７−１を備え、第２の送信系統に位相器１７−２を備えるようにしてもよい。この場合、第１の送信系統に備えた位相器１７−１は、分割部１３により分割された一方の信号（第１の送信系統の信号）を入力し、入力した信号に対して何ら位相回転処理を施さないで、入力した信号をそのままＯＦＤＭフレーム化部１４−１に出力する。また、第２の送信系統に備えた位相器１７−２は、位相器１７と同じ処理を行う。
【０１１４】
また、前記実施例１，２及び変形例１〜６では、送信系統の数が２の場合について説明したが、本発明は、送信系統の数が３以上の場合についても適用がある。具体的には、送信装置２−１，２−２は、３以上の複数の送信系統間で異なる位相の送信信号を生成するように、位相回転処理を施し、複数の送信系統に対応した送信信号をそれぞれ送信する。
【０１１５】
また、前記実施例１，２及び変形例１〜６では、ＭＩＭＯ伝送路の伝送路特性が同じ場合に、受信装置のＭＬＤ部２６は、例えば図５及び図９に示した受信パターンとして、送信信号ｘ１，ｘ２の信号点における組み合わせの数１６と同じ数の参照点を設定するようにした。この受信パターンは、隣り合う参照点の距離が均一でない。これに対し、ＭＬＤ部２６は、受信パターンの参照点として、送信信号ｘ１，ｘ２の信号点における組み合わせの数１６と同じ数の参照点であって、隣り合う参照点の距離が所定幅内に収まってほぼ均一となる信号点が配置されるように設定してもよい。この場合、送信装置２−１，２−２は、一方の系統の位相回転と他の系統の位相回転とが異なるように、かつ、ＭＩＭＯ伝送路の伝送路特性が同じ場合に、受信装置のＭＬＤ部２６により、隣り合う参照点の距離が前述のとおりに均一となる受信パターンの参照点が設定されるように、位相回転処理を施し、送信信号ｘ１，ｘ２を送信する。
【０１１６】
また、前記実施例１，２及び変形例１〜６では、受信装置のＭＬＤ部２６は、送信信号ｘ１，ｘ２と推定した伝送路特性ｈ11，ｈ12，ｈ21，ｈ22とを用いて受信パターンの参照点を設定し、受信信号ｙ１，ｙ２の受信信号点と受信パターンの参照点との間で最も近い距離をそれぞれ算出し、送信信号ｘ１，ｘ２のＬＬＲを算出するようにした。これに対し、ＭＩＭＯ通信システム１を構成する送信装置２−１，２−２と受信装置とが固定設置され、伝送路特性ｈ11，ｈ12，ｈ21，ｈ22がｈ11＝ｈ12，ｈ21＝ｈ22の固定値である場合には、ＭＬＤ部２６は、受信パターンの参照点を設定する処理を行うことなく、予め設定された受信パターンの参照点を用いるようにしてもよい。具体的には、受信パターンの参照点の情報がメモリに予め格納されており、ＭＬＤ部２６は、メモリから受信パターンの参照点を読み出し、受信信号ｙ１，ｙ２の受信信号点と、メモリから読み出した受信パターンの参照点との間で最も近い距離をそれぞれ算出し、送信信号ｘ１，ｘ２のＬＬＲを算出する。
【符号の説明】
【０１１７】
１  ＭＩＭＯ通信システム
２，１００  送信装置
１０  誤り訂正外符号符号化部
１１  誤り訂正内符号符号化部
１２  キャリア変調部
１３  分割部
１４  ＯＦＤＭフレーム化部
１５  ＩＦＦＴ部
１６  ＧＩ付加部
１７  位相器
２０  ＧＩ除去部
２１  ＦＦＴ部
２２  伝送路推定部
２３，２６  ＭＬＤ部
２４  誤り訂正内符号復号部
２５  誤り訂正外符号復号部
１０１  送信アンテナ
２００  受信装置
２０１  受信アンテナ
【図１】
2014216745.tif 000003
【図２】
2014216745.tif 000004
【図３】
2014216745.tif 000005
【図４】
2014216745.tif 000006
【図５】
2014216745.tif 000007
【図６】
2014216745.tif 000008
【図７】
2014216745.tif 000009
【図８】
2014216745.tif 000010
【図９】
2014216745.tif 000011
【図１０】
2014216745.tif 000012
【図１１】
2014216745.tif 000013
【図１２】
2014216745.tif 000014
【図１３】
2014216745.tif 000015
【図１４】
2014216745.tif 000016
【図１５】
2014216745.tif 000017
【図１６】
2014216745.tif 000018
【図１７】
2014216745.tif 000019
【図１８】
2014216745.tif 000020
【図１９】
2014216745.tif 000021
【図２０】
2014216745.tif 000022
【図２１】
2014216745.tif 000023
【図２２】
2014216745.tif 000024